(57)【要約】【課題】内容液の温冷機構をもつディスペンサー容器を提供する。【解決手段】内容液と熱交換を行うホース２をらせん状（Ａ）に組み、これをディスペンサー容器１ａの外部に装着（Ｂ）、あるいは容器１ａに穴を空けそのホース２を通し、内容液が漏れないように穴とホースを密閉するよう装着（Ｃ）する。このホース２に、内容液を温めたい場合には温水を、冷ましたい場合には冷水を通過させることで内容液を温めもしくは冷ます構造とした。【選択図】  図１
2007314197.tif 000002
【特許請求の範囲】
【請求項１】
内部に内容液を充填することができるディスペンサー容器と、そのディスペンサー容器の外部または内部に設置されて温水または冷水を通すことで内容液を温めまたは冷ますホースとを備えているディスペンサー。
【発明の詳細な説明】
【技術分野】
【０００１】
本発明は、内容液の温冷機構をもつディスペンサーに関するものである。
【背景技術】
【０００２】
従来、ディスペンサー容器としては、内容液を温めたり、冷ましたりする機構自体を装備するものが無く、容器ごと温水または冷水の入ったバケツなどに入れることで、温めたり冷ましたりしていた。また、飲料ディスペンサーとしては専用の冷却装置を装着したものがある（たとえば特許文献１参照）。あるいは、温水を吐出させるために恒温装置を装着したものもある（たとえば特許文献２参照）。これらは容器外部に冷却あるいは発熱装置をもち、機器そのものが大きく、コスト高となる上、一度設置すると移動が容易ではない。加えて、ディスペンサー１個あたり、装置１個が必要となる。
【特許文献１】特開平９−１８８３９５号公報（第５頁、図１）
【特許文献２】特表平８−５０８１７７号公報（第１１頁、図１）
【発明の開示】
【発明が解決しようとする課題】
【０００３】
浴室内では、ディスペンサー内部の内容液の温度はその外部の気温が上がってもなかなか暖かくならず、使用時にディスペンサー吐出口から出る液体で冷たいという刺激を感じてしまう。一方、夏場などに露天に置かれたディスペンサーは日光や外気温で暖められ、同じく吐出口から出る液体で熱いという刺激を感じてしまう。この問題は、浴室あるいは露天に置かれているディスペンサーの環境温度では内容液を適温にすることはできず、したがって内容液が、浴室では冷たいと、夏場の露天では熱いと感じる温度にとどまっていることに原因がある。
【０００４】
この問題の解決のために従来技術を用いると、装置が大掛かりとなり、移動や移設に不向きな上、複数のディスペンサーに適用するとなるとコスト高でもあるため、個々のディスペンサーに適用することは難しい。
【０００５】
本発明が解決しようとする課題は、従来技術より簡便で安価な機構でディスペンサー本体の移動が容易であり、ディスペンサー周囲の環境にある温水や冷水を利用して、１個または複数のディスペンサーから適温と感じられる内容液を吐出するディスペンサーを提供する点にある。
【課題を解決するための手段】
【０００６】
本発明に係るディスペンサーは、図１に示すように内容液と熱交換を行うホース２をらせん状（Ａ）に組み、これをディスペンサー容器１ａの外部に装着（Ｂ）、あるいは容器１ａに穴を空けそのホース２を通し、内容液が漏れないように穴とホースを密閉するよう装着（Ｃ）する。このホース２に、内容液を温めたい場合には温水を、冷ましたい場合には冷水を通過させることで内容液を温めもしくは冷ます構造とした。
【０００７】
凹型と凸型が結合し相対する継手と着脱できる継手を着脱継手とする。本発明に係るディスペンサーは、図２に示すように上記ディスペンサーの熱交換を行うホース２の両端を切断し、各々ホースに着脱継手を接続する。各そのホースの着脱継手は送水側凹型着脱継手３、排水側凸型着脱継手４として、送排水の方向がわかるようにする。送水側着脱継手３には送水ホースの着脱継手が、排水側着脱継手４には排水ホースの着脱継手が接続される。
【０００８】
本発明に係るディスペンサーは、図３に示すように上記ディスペンサーの送水側凹型着脱継手３、排水側凸型着脱継手４をディスペンサー容器壁面に各々底部から同一の高さで対称方向水平に取り付ける。容器内部の仕組みを明示するため透過させた図が図４である。
【０００９】
本発明に係るディスペンサーは、図５に示すように上記ディスペンサー容器の熱交換を行うホースの容器底部に接する一部から容器外部に通じる穴口５を設け、その穴口を栓６で塞ぐ。
【００１０】
本発明に係るディスペンサーは、図６に示すように上記ディスペンサー容器内部の吸水用パイプ１ｄ吸入口付近に小型の容器７を配置し、その小型容器内に熱交換を行うホースを収納し、そのホース両端を容器壁面に取り付けた送水側凹型着脱継手３、排水側凸型着脱継手４に各々接続する。
【００１１】
本発明に係るディスペンサーは、図７に示すように上記ディスペンサー容器の外壁に接するよう温度計８を取り付けている。
【００１２】
本発明に係るディスペンサーは、図８に示すように上記ディスペンサー容器内部の吸水用パイプ１ｄ中腹に熱により収縮するチューブ１０と、そのチューブ内部に押しつぶされることで吸い上げを抑止するゴム管９から構成される部分を取り付けている。内容液の温度が熱収縮チューブの収縮温度に達するとチューブ１０が収縮し、耐熱ゴム管９を押しつぶすことで、吐出口１ｃからの内容液の吐出を抑止する。
【発明の効果】
【００１３】
本発明に係るディスペンサーを使用するときは、水道水または温水をディスペンサー内ホース２に通すことにより、人間が適温と感じられるセ氏２０度からセ氏４０度の内容液が吐出されるので刺激を感じることはない。この際、使用する水道水または温水はいずれもディスペンサーを使用する周辺環境にあるものであるから、温水または冷水を生成するための装置を必要としないので簡便で安価である。たとえば、浴槽に湯を張る際に、蛇口からホース２を経由して浴槽に湯を入れれば、湯を張っている時間で内容液が温められる。さらに、着脱継手をはずすにより容器の移動ができる。移動の際には余分となるホース２内の水を抜く栓６を設けることで、軽量化と水の飛散を防止し移動を楽にしている。また、容器外壁に取り付けた温度計８を目安とすることや内容液がセ氏６０度を超えると吐出を抑止する機構により、使用者へのやけどの防止、警告を行っている。
【発明を実施するための最良の形態】
【００１４】
浴室や露天の液体ディスペンサーを使用する環境にはもともと人間が入浴する温度の湯や水道水があり、この湯や水を蛇口からディスペンサー内ホース２に導くことで、ディスペンサー内の内容液を温めもしくは冷ます。
【００１５】
ディスペンサーの着脱継手を利用して複数のディスペンサー同士を一列に連結し、一番端のディスペンサーのホース２に蛇口から湯または水を導くことで、一時に複数のディスペンサーを温めもしくは冷ます。
【００１６】
移設や移動の際はディスペンサーを着脱継手からはずし、栓６を開けホース２内の水を抜く。これにより水の飛散防止と軽量化が図れる。
【００１７】
内容液の熱しすぎによるやけどの防止のために、ディスペンサー容器外壁面の温度計８で適温かどうか使用者が温度を確認できる。さらに内容液の温度が熱収縮チューブの収縮温度であるセ氏６０度を超えると吸水パイプが閉じられ吐出が抑止される。
【実施例１】
【００１８】
図９に本発明に係るディスペンサーの実施例を示す。ホース２ａを蛇口１０に接続し、ディスペンサー内を一旦巡回させホース２ｂから排水する。たとえば浴室内であれば、浴槽に湯を張る際、ホース２ｂの排水を浴槽に入れ、湯を張る時間に内容液を温める。内容液とは、たとえば、ボディオイル、ボディソープ、シャンプー、リンスなどである。
【実施例２】
【００１９】
図１０に本発明に係るディスペンサーの実施例を示す。前記実施例１と対応する部材には同一の符号を付すこととする。着脱継手を送水側１１と排水側１２を夫々ホースに取り付ける。これにより、ディスペンサーを取り外して移動するのに容易となる。なお、着脱継手取り外し後に容器下部の排水栓を開けて、ホース内の水を排出すると、重量が軽くなり持ち運びが楽になる。
【実施例３】
【００２０】
本発明に係るディスペンサーの実施例の特徴として、一時に複数のディスペンサーを温めあるいは冷ますことが出来る。図１１に１個接続の場合を、図１２に２個接続の場合を示す。
【実施例４】
【００２１】
実施例１から３の構成で蛇口からの熱湯により、内容液の温度が熱収縮チューブの収縮温度に達すると、ディスペンサー容器吐出が抑止される。
【図面の簡単な説明】
【００２２】
【図１】本発明に係るディスペンサーのホースとホース装着実施構成図
【図２】本発明に係るディスペンサーの部分断面図
【図３】本発明に係るディスペンサーの部分断面図
【図４】本発明に係るディスペンサーの部分透過断面図
【図５】本発明に係るディスペンサーの栓部分断面図
【図６】本発明に係るディスペンサーの部分透過断面図
【図７】本発明に係るディスペンサーに温度計を適用した全体図
【図８】本発明に係るディスペンサーの吸水パイプ下部部分断面図
【図９】実施例１の構成図
【図１０】実施例２の構成図
【図１１】実施例３のディスペンサー１個接続構成図
【図１２】実施例３のディスペンサー２個接続構成図
【符号の説明】
【００２３】
１ａ    ディスペンサー容器
１ｂ    ディスペンサー容器ポンプ加圧釦
１ｃ    ディスペンサー容器吐出口
１ｄ    ディスペンサー容器吸水パイプ
２      ホース
２ａ    送水側ホース
２ｂ    排水側ホース
３      送水側凹型着脱継手
４      排水側凸型着脱継手
５      排水栓穴
６      排水栓
７      小型容器
８      温度計
９      耐熱ゴム
１０    熱収縮チューブ
１１    蛇口
１２    送水ホース着脱継手
１３    排水ホース着脱継手
【図１】
2007314197.tif 000003
【図２】
2007314197.tif 000004
【図３】
2007314197.tif 000005
【図４】
2007314197.tif 000006
【図５】
2007314197.tif 000007
【図６】
2007314197.tif 000008
【図７】
2007314197.tif 000009
【図８】
2007314197.tif 000010
【図９】
2007314197.tif 000011
【図１０】
2007314197.tif 000012
【図１１】
2007314197.tif 000013
【図１２】
2007314197.tif 000014